(57)【要約】【課題】構成部材の組付公差に拘わらず、コアとディスクとの密着性を良好に確保することのできるフラップ式電磁駆動弁を提供する。【解決手段】フラップ式電磁駆動弁は、揺動可能に軸支された磁性体からなるディスク１１及びそのディスク１１を吸引する電磁力を発生する電磁石の芯材となるアッパコア１６及びロアコア１７を備え、それらの電磁力とばね力との協働によるディスク１１の揺動を通じて弁体２０を開閉駆動する。こうしたフラップ式電磁駆動弁において、ディスク１１の揺動軸を流体密封軸受１４にて浮遊状態で軸支するとともに、ディスク１１の側面に突出形成された丸ピン２６と摺接してアッパコア１６／ロアコア１７への近接に応じてディスク１１を規定の位置へと案内し、これによりディスク１１の揺動軸の調芯を行うＶ字溝２７の形成された調芯部材２８を、アッパコア１６／ロアコア１７に一体固定するようにした。【選択図】図１
2010001812.tif 000002
【特許請求の範囲】
【請求項１】
揺動可能に軸支された磁性体からなるディスクと、そのディスクを吸引する電磁力を発生する電磁石の芯材となるコアとを備え、その電磁力とばね力との協働による前記ディスクの揺動を通じて弁体を開閉駆動するフラップ式電磁駆動弁において、
前記ディスクの揺動軸を浮遊状態で軸支するフローティング軸受と、
前記ディスクに突出形成された突起と、
前記コアに一体固定された部材であって、前記突起と摺接して前記コアへの近接に応じて前記ディスクを規定の位置へと案内し、これにより同ディスクの揺動軸の調芯を行う調芯溝の形成された調芯部材と、
を備えることを特徴とするフラップ式電磁駆動弁。
【請求項２】
前記突起及び前記調芯部材は磁性体にて形成されてなり、前記調芯部材の周囲にはコイルが巻線されてなる
請求項１に記載のフラップ式電磁駆動弁。
【請求項３】
前記突起は円筒形に形成されてなり、前記調芯溝は、前記調芯部材の前記ディスク側の端面に形成されてその底部に向うほど溝幅の狭くなるＶ字溝とされてなる
請求項１又は２に記載のフラップ式電磁駆動弁。
【請求項４】
前記調芯部材は、前記コアに対する固定位置を変更可能に設置されてなる
請求項１〜３のいずれか１項に記載のフラップ式電磁駆動弁。
【請求項５】
前記調芯溝は、前記コアが固定され、前記ディスクが揺動可能に軸支された当該電磁駆動弁のハウジングケースケースに形成されてなる
請求項１に記載のフラップ式電磁駆動弁。
【請求項６】
前記調芯溝は、その両端に向うにつれ、溝幅の狭くなる三日月形状に形成されてなる
請求項５に記載のフラップ式電磁駆動弁。
【請求項７】
前記フローティング軸受は、流体密封軸受とされてなる
請求項１〜６のいずれか１項に記載のフラップ式電磁駆動弁。
【請求項８】
前記フローティング軸受は、磁気軸受とされてなる
請求項１〜６のいずれか１項に記載のフラップ式電磁駆動弁。
【発明の詳細な説明】
【技術分野】
【０００１】
本発明は、揺動可能に軸支された磁性体からなるディスクと、そのディスクを吸引する電磁力を発生する電磁石の芯材となるコアとを備え、その電磁力とばね力との協働によるディスクの揺動を通じて弁体を開閉駆動するフラップ式電磁駆動弁に関し、特にそのディスク、コア間の密着性の向上に係るその構造の改良に関するものである。
【背景技術】
【０００２】
近年、内燃機関の吸排気弁として、電磁力とばね力との協働により弁体を開閉駆動する電磁駆動弁の開発が進められている。そしてそうした電磁駆動弁として、ディスクの揺動を通じて弁体を開閉駆動するフラップ式電磁駆動弁が提案されている。
【０００３】
図８に、従来のフラップ式電磁駆動弁の側部断面構造を示す。同図に示すように、フラップ式電磁駆動弁は、揺動可能に軸支された磁性体からなるディスク５０を備えて構成されている。ディスク５０は、円管形状の軸部５１と、平板形状のディスク部５２とからなっており、その軸部５１は、ボールベアリングやローラベアリングのような機械式軸受によって回動可能に軸支されている。また軸部５１の内部には、トーションバー５３が配設されており、ディスク５０は、このトーションバー５３によって開弁側（ディスク部５２の先端が下方に向う側）に常時付勢されている。またディスク５０のディスク部５２の上下には、電磁石の芯材となるアッパコア５４及びロアコア５５がそれぞれ配設されている。これらのコア（５４，５５）には、コイルが内蔵されており、そのコイルへの通電に応じてディスク部５２を吸引する電磁力が発生されるようになっている。
【０００４】
これらディスク５０、アッパコア５４及びロアコア５５の前方（図中右方）には、弁体５６が配設されている。この弁体５６は、その開閉方向（図中上下方向）に伸びるバルブステム５７を備えている。バルブステム５７は、弁体５６の開閉方向に摺動可能に軸支されており、ロアスプリング５８により常時閉弁側（図中上方）に付勢されている。バルブステム５７の下端には、内燃機関の燃焼室に対して吸気／排気ポートを開閉する傘部５９が固定されている。またバルブステム５７の上端には、ローラカムフォロワ６０が固定されており、このローラカムフォロワ６０は、ロアスプリング５８の付勢により、ディスク部５２の先端下面に固定されたチップ６１に押し付けられている。
【０００５】
こうしたフラップ式電磁駆動弁では、ディスク５０の上方に配設されたアッパコア５４のコイルに通電すると、発生した電磁力によりディスク５０がその先端が上方に向う側に揺動されるようになる。このときの弁体５６は、ロアスプリング５８の付勢により閉方向に動作されるようになる。一方、ディスク５０の下方に配設されたロアコア５５に通電すると、発生する電磁力によりディスク５０がその先端が下方に向う側に揺動される。このときの弁体５６は、ディスク５０先端のチップ６１からの押圧を受け、ロアスプリング５８の付勢力に抗して開方向に動作されるようになる。したがってアッパコア５４への通電と、ロアコア５５への通電とを周期的に切り替えることで、弁体５６が開閉駆動されるようになる。
【０００６】
そして従来、特許文献１には、フラップ揺動軸の自動調芯機能を有するフラップ式電磁駆動弁が提案されている。同文献に記載のフラップ式電磁駆動弁では、図９に示すように、そのディスク５０の軸部５１の一端に、端部に向うほど縮径するテーパ面７０を形成するようにしている。またそのテーパ面７０の形成された軸部５１の端部を回動可能に軸支する滑り軸受として設けられたメタルブッシュ７１の内周面７２を、テーパ面７０に対向するテーパ形状に形成するようにしている。そして軸部５１のもう一方の端部に圧縮状態で配設されたスプリング７３の弾性力でテーパ面７０をメタルブッシュ７１の内周面７２に押圧することで、ディスク５０の揺動軸が自動的に調芯されるようになっている。
【特許文献１】特開２００７−２７８０７７号公報
【発明の開示】
【発明が解決しようとする課題】
【０００７】
ところで、上記のようなフラップ式電磁駆動弁では、アッパコア５４又はロアコア５５に電磁力を発生させ、それらのコアにディスク５０を密着保持することで、全閉位置又は全開位置に弁体５６を保持するようにしている。しかしながら、電磁駆動弁を構成する各部材の加工公差や組付公差により、コア（５４，５５）に対するディスク５０の揺動軸Ｌの相対的な位置関係が不適切であると、図１０に示すように、ディスク５０がコア（５４，５５）に完全に密着せず、それらの間に隙間が形成されてしまうようになる。そしてその結果、電磁吸引力が低下して、ディスク５０を十分に吸着保持することができなくなり、バルブ動作の不安定化を招く虞がある。なお上記文献１のフラップ式電磁駆動弁においても、メタルブッシュ７１に対してディスク５０の揺動軸が適正に調芯されたとしても、メタルブッシュ７１やコア（５４，５５）の組付位置の公差が大きければ、コア（５４，５５）、ディスク５０間の密着性が不十分となってしまうようになる。結局のところ、コア（５４，５５）とディスク５０との密着性を確保するには、それぞれ離間した位置に配設されるアッパコア５４、ロアコア５５及びディスク５０の揺動軸の３者を非常に高い精度で組付ける必要があり、容易ならざるものとなっている。
【０００８】
本発明は、こうした実状に鑑みてなされたものであって、その解決しようとする課題は、構成部材の組付公差に拘わらず、コアとディスクとの密着性を良好に確保することのできるフラップ式電磁駆動弁を提供することにある。
【課題を解決するための手段】
【０００９】
以下、上記課題を解決するための手段、及びその作用効果を記載する。
上記課題を解決するため、請求項１に記載の発明は、揺動可能に軸支された磁性体からなるディスクと、そのディスクを吸引する電磁力を発生する電磁石の芯材となるコアとを備え、その電磁力とばね力との協働による前記ディスクの揺動を通じて弁体を開閉駆動するフラップ式電磁駆動弁において、前記ディスクの揺動軸を浮遊状態で軸支するフローティング軸受と、前記ディスクに突出形成された突起と、前記コアに一体固定された部材であって、前記突起と摺接して前記コアへの近接に応じて前記ディスクを規定の位置へと案内し、これにより同ディスクの揺動軸の調芯を行う調芯溝の形成された調芯部材と、を備えることをその要旨としている。
【００１０】
上記構成では、例えば流体軸受や磁気軸受のようなフローティング軸受によってディスクの揺動軸が浮遊した状態で軸支されており、ディスクの揺動軸はある程度自由に変位可能とされている。そして上記構成では、ディスクに突出形成された突起が、コアに一体固定された調芯部材の調芯溝に倣って摺動することで、コアへの近接に応じてディスクが、コアとの密着性を良好に確保し得る適切な位置へと案内されるようになる。そのため、ディスクがその揺動によってコアに近接される都度、その両者が十分に密着されるように、ディスクの揺動軸が自動的に調芯されるようになる。そして上記構成では、ディスクから突出形成された突起とコアに一体固定された調芯部材とによってディスク揺動軸の調芯が行われるため、ディスクに対する突起の組付精度、及びコアに対する調芯部材の組付精度さえ十分であれば、コアそのものやディスクの軸受（フローティング軸受）の組付位置に多少の公差が存在しても、コアとディスクとの密着性を良好に確保することが可能となる。したがって上記構成によれば、構成部材の組付公差に拘わらず、コアとディスクとの密着性を良好に確保することができるようになる。
【００１１】
請求項２に記載の発明は、請求項１に記載のフラップ式電磁駆動弁において、前記突起及び前記調芯部材は磁性体にて形成されてなり、前記調芯部材の周囲にはコイルが巻線されてなることをその要旨としている。
【００１２】
上記構成では、調芯部材は、その周囲に巻線されたコイルへの通電に応じて電磁力を発生する電磁石の芯材としても機能するようになる。そのため、上記コアを芯材とする電磁石に加え、この調芯部材を芯材とする電磁石にも電磁力を発生させることが可能となり、より大きな電磁力が得られるように、ひいては、より安定して弁体を開閉動作させることができるようになる。
【００１３】
請求項３に記載の発明は、請求項１又は２に記載のフラップ式電磁駆動弁において、前記突起は円筒形に形成されてなり、前記調芯溝は、前記調芯部材の前記ディスク側の端面に形成されてその底部に向うほど溝幅の狭くなるＶ字溝とされてなることをその要旨としている。
【００１４】
このように突起及び調芯溝を形成することで、比較的簡易な形状の部品の追加のみで、コア、ディスク間の密着性の確保を図ることができるようになる。
請求項４に記載の発明は、請求項１〜３のいずれか１項に記載のフラップ式電磁駆動弁において、前記調芯部材は、前記コアに対する固定位置を変更可能に設置されてなることをその要旨としている。
【００１５】
コアに対する調芯部材の固定位置の変更により、コアとディスクとの密着度合を調整することができる。また固定位置の変更によっては、ディスクの揺動幅の、ひいては弁体のリフト量の調整を行うことも可能となる。
【００１６】
請求項５に記載の発明は、請求項１に記載のフラップ式電磁駆動弁において、前記調芯溝は、前記コアが固定され、前記ディスクが揺動可能に軸支された当該電磁駆動弁のハウジングケースケースに形成されてなることをその要旨としている。
【００１７】
このようにコアの固定やディスクの軸支のなされるハウジングケースケースに調芯溝を形成して、コア、ディスク間の密着性の確保を図ることができる。なおこの場合には、コアが固定され、且つ調芯溝の形成されたハウジングケースケースが上記調整部材に相当することになる。
【００１８】
請求項６に記載の発明は、請求項５に記載のフラップ式電磁駆動弁において、前記調芯溝は、その両端に向うにつれ、溝幅の狭くなる三日月形状に形成されてなることをその要旨としている。
【００１９】
例えば、このようにハウジングケースケースに三日月形状の調整溝を形成することで、コア、ディスク間の密着性の確保を図ることが可能である。
請求項７に記載の発明は、請求項１〜６のいずれか１項に記載のフラップ式電磁駆動弁において、前記フローティング軸受は、流体密封軸受とされてなることをその要旨としている。
【００２０】
このように上記フローティング軸受としては、流体密封軸受を用いることができる。
請求項８に記載の発明は、請求項１〜６のいずれか１項に記載のフラップ式電磁駆動弁において、前記フローティング軸受は、磁気軸受とされてなることをその要旨としている。
【００２１】
またこのように上記フローティング軸受としては、磁気軸受を用いることも可能である。
【発明を実施するための最良の形態】
【００２２】
（第１の実施の形態）
以下、本発明のフラップ式電磁駆動弁を具体化した第１の実施の形態を、図１〜図４を参照して詳細に説明する。なお本実施の形態のフラップ式電磁駆動弁は、電磁力とばね力との協働によるディスクの揺動を通じて内燃機関の吸気／排気弁を開閉駆動するものとして構成されている。そして本実施の形態では、その動作中にディスクの揺動軸の調芯を動的に行なわせることで、電磁力を発生する電磁石のコアとディスクとの密着性を好適に確保するようにしている。
【００２３】
図１に、そうした本実施の形態のフラップ式電磁駆動弁の側部断面構造を示す。このフラップ式電磁駆動弁のアクチュエータ部分は、内燃機関のシリンダヘッド上に固定されたハウジングケース１０に収容されている。このハウジングケース１０の上下方向中央には、吸排気弁を開閉駆動すべく揺動されるディスク１１が揺動可能に軸支されている。ディスク１１は、磁性体により形成されており、中空円管形状の軸部１２とその前方に突き出された平板状のディスク部１３とからなっている。
【００２４】
図２に示すように、ディスク１１の軸部１２の両端は、軸受（１４）を介してハウジングケース１０に回動可能に軸支されている。本実施の形態のフラップ式電磁駆動弁では、こうしたディスク１１の軸受として、内部に密封されたオイル等の流体を介して軸を回動可能に支持する流体密封軸受１４を採用している。図３にその断面構造を示すように、流体密封軸受１４の内周とこれにより軸支されるディスク１１の軸部１２の外周との間には、一定の隙間が形成されており、その隙間には加圧されたオイル等の流体Ｆが密封されている。こうした流体密封軸受１４においてディスク１１の軸部１２は、流体密封軸受１４内の流体Ｆに浮遊した状態で軸支されることになり、ディスク１１の揺動軸Ｌはある程度自由に変位可能となっている。
【００２５】
なお図１に示すように、ディスク１１の軸部１２内には、トーションバー１５が収容されている。このトーションバー１５は、予捻りが加えられた状態で、その一端がハウジングケース１０に、他端が軸部１２にそれぞれ固定されており、下方に揺動させる側へとディスク１１を常時付勢している。
【００２６】
こうしたディスク１１の上下には、それぞれ磁性体からなるアッパコア１６及びロアコア１７がハウジングケース１０に固定された状態で配設されている。これらアッパコア１６及びロアコア１７は、それらの内部にそれぞれ収容されたコイル１８，１９への通電に応じて電磁力を発生する電磁石の芯材となっている。
【００２７】
一方、ハウジングケース１０の前方（図中右方）には、当該フラップ式電磁駆動弁が開閉駆動する吸気／排気弁の弁体２０が配設されている。この弁体２０は、上下方向に伸びるバルブステム２１と、そのバルブステム２１の下端に固定されて内燃機関の吸気／排気ポートを燃焼室に対して開閉する傘部２２と、バルブステム２１の上端に設けられたローラカムフォロワ２３とを有している。こうした弁体２０のバルブステム２１は、上下方向に往復動可能に軸支されており、また圧縮状態で配設されたロアスプリング２４のばね力で常時上方に付勢されている。そしてバルブステム２１上端のローラカムフォロワ２３は、そのロアスプリング２４のばね力により、ディスク１１先端下面に固定されたチップ２５に常時押し付けられるようになっている。なお、このロアスプリング２４は、上記ディスク１１がアッパコア１６とロアコア１７との丁度中間の揺動位置に位置するときに、そのばね力が上記トーションバー１５のばね力と釣り合うように設定されている。
【００２８】
こうしたフラップ式電磁駆動弁では、アッパコア１６側のコイル１８への通電を行うと、それにより発生する電磁力でディスク部１３がアッパコア１６に吸引され、上記トーションバー１５のばね力に抗してディスク１１が上方に揺動するようになる。こうしてディスク１１が上方に揺動すると、弁体２０は、ロアスプリング２４のばね力によってローラカムフォロワ２３とチップ２５との当接を維持しながら上方に変位して、その傘部２２により吸気／排気ポートが閉じられるようになる。一方、ロアコア１７側のコイル１９への通電を行うと、それにより発生する電磁力でディスク部１３がロアコア１７に吸引され、ディスク１１が下方に揺動するようになる。こうしてディスク１１が下方に揺動すると、ディスク１１はその先端のチップ２５を介して弁体２０を下方へと押圧する。その結果、弁体２０は、ロアスプリング２４のばね力に抗して下方へと押し下げられ、その傘部２２により吸気／排気ポートが開かれるようになる。
【００２９】
さてこうした本実施の形態のフラップ式電磁駆動弁には、上述したように、ディスク１１の揺動軸Ｌは、完全に固定されておらず、ある程度自由に変位可能とされている。そして本実施の形態では、アッパコア１６／ロアコア１７へのディスク１１の近接に応じて、ディスク１１を規定の位置へと案内し、これによりディスク１１の揺動軸Ｌの調芯を行う機構が設けられている。こうした揺動軸Ｌの調芯機構は、以下のような構成となっている。
【００３０】
すなわち、本実施の形態のフラップ式電磁駆動弁では、ディスク１１の側部に突起を突出形成するようにしている。この突起は、ディスク１１の側面に、磁性体からなる円筒形の丸ピン２６を、圧入等によって固定することで形成されている。なお本実施の形態では、こうした丸ピン２６を、ディスク１１の両側面に上下に並んでそれぞれ２つずつ設けるようにしている。
【００３１】
また本実施の形態のフラップ式電磁駆動弁では、アッパコア１６及びロアコア１７の両側に、上記丸ピン２６と対向するＶ字溝２７の形成された略直方体形状の調芯部材２８がそれぞれ一体固定されている。Ｖ字溝２７は、調芯部材２８のディスク１１側の端面に形成されており、その溝幅は、溝底部に向うほど狭くされている。また本実施の形態では、これらの調芯部材２８は、磁性体にて形成されており、その周囲にはコイル（バイパスコイル２９）がそれぞれ巻線されている。そしてバイパスコイル２９への通電により、丸ピン２６と調芯部材２８との間に電磁吸引力が発生するようになっている。すなわち、本実施の形態では、この調芯部材２８は、電磁石の芯材としてのとしての機能も有するものとなっている。なお調芯部材２８に巻線されたバイパスコイル２９には、それが固定されたコア（アッパコア１６又はロアコア１７）のコイル１８，１９と同時に通電がなされるように結線されている。
【００３２】
こうした本実施の形態のフラップ式電磁駆動弁では、図４に示すように、ディスク１１がその揺動によりアッパコア１６／ロアコア１７にある程度近接すると、ディスク１１側面に固定された丸ピン２６が、アッパコア１６／ロアコア１７（図４ではロアコア１７）に固定された調芯部材２８のＶ字溝２７内に入るようになる。ここでディスク１１の揺動軸Ｌは、上記のように流体密封軸受１４により軸支されており、完全には固定されてはいないようになっている。そのため、ディスク１１がアッパコア１６／ロアコア１７に近づくにつれ、丸ピン２６がＶ字溝２７に倣って摺動することで、ディスク１１がある特定の位置に案内されるようになる。そして、このときのＶ字溝２７によりディスク１１の案内される位置は、アッパコア１６／ロアコア１７との密着性が良好に確保し得るような位置とされている。そのため、それ以前の位置の如何に拘わらず、アッパコア１６／ロアコア１７との密着時には、ディスク１１の揺動軸Ｌは、ディスク１１とアッパコア１６／ロアコア１７とが十分に密着される適正な位置に自動的に調芯されるようになる。すなわち、こうした調芯部材２８のＶ字溝２７は、ディスク１１に突出形成された突起である丸ピン２６と摺接して、アッパコア１６／ロアコア１７への近接に応じてディスク１１を規定の位置へと案内し、これにより同ディスク１１の揺動軸Ｌの調芯を行う調芯溝となっている。
【００３３】
このように本実施の形態のフラップ式電磁駆動弁では、アッパコア１６／ロアコア１７へのディスク１１の近接に応じて、ディスク１１とアッパコア１６／ロアコア１７との密着性が確保されるようになるようにディスク１１の揺動軸Ｌが自動的に調芯されるようになる。そのため、アッパコア１６／ロアコア１７への密着時における電磁力が十分に確保されるようになる。さらに本実施の形態では、アッパコア１６／ロアコア１７に一体固定された調芯部材２８には、バイパスコイル２９が巻線されており、調芯部材２８が電磁石としても機能するようになっており、アッパコア１６／ロアコア１７にディスク１１を吸着されるための電磁力がその分増加されるようにもなっている。
【００３４】
以上説明した本実施の形態のフラップ式電磁駆動弁によれば、次の効果を奏することができる。
（１）本実施の形態では、流体密封軸受１４によってディスク１１の揺動軸Ｌを浮遊状態で軸支するとともに、ディスク１１の側面に突出形成された丸ピン２６が、アッパコア１６／ロアコア１７に一体固定された調芯部材２８のＶ字溝２７に倣って摺動することで、アッパコア１６／ロアコア１７への近接に応じて、密着性を良好に確保し得る適切な位置へとディスク１１が案内されるようになっている。そのため、ディスク１１がその揺動によってアッパコア１６／ロアコア１７に近接される都度、その両者が十分に密着されるように、ディスク１１の揺動軸Ｌが自動的に調芯されるようになる。こうした揺動軸Ｌの自動調芯は、ディスク１１から突出形成された丸ピン２６とアッパコア１６／ロアコア１７に一体固定された調芯部材２８とにより行われる。そのため、ディスク１１に対する丸ピン２６の組付精度、及びアッパコア１６／ロアコア１７に対する調芯部材２８の組付精度さえ十分であれば、アッパコア１６／ロアコア１７そのものやディスク１１を軸支する流体密封軸受１４の組付位置に多少の公差が存在しても、アッパコア１６／ロアコア１７とディスク１１との密着性を良好に確保することが可能となる。したがって本実施の形態によれば、構成部材の組付公差に拘わらず、アッパコア１６／ロアコア１７とディスク１１との密着性を良好に確保することができるようになる。
【００３５】
（２）本実施の形態では、丸ピン２６及び調芯部材２８が磁性体で形成されるとともに、調芯部材２８の周囲にはバイパスコイル２９が巻線されている。こうした本実施の形態では、その調芯部材２８が、その周囲に巻線されたバイパスコイル２９への通電に応じて電磁力を発生する電磁石の芯材としても機能するようになる。そのため、アッパコア１６／ロアコア１７を芯材とする電磁石に加え、この調芯部材２８を芯材とする電磁石にも電磁力を発生させることが可能となり、より大きな電磁力が得られるように、ひいては、弁体２０をより安定して開閉動作させることができるようになる。
【００３６】
（第２の実施の形態）
続いて、本発明のフラップ式電磁駆動弁を具体化した第２の実施の形態を、図５を併せ参照して、上記実施の形態と異なる点を中心に説明する。
【００３７】
第１の実施の形態のフラップ式電磁駆動弁では、流体密封軸受１４によってディスク１１を浮遊状態で軸支することで、その揺動軸Ｌの変位を許容するようにしていた。なお、こうしたディスク１１の揺動軸Ｌの軸受としては、これを浮遊状態で軸支するフローティング軸受であれば、流体密封式以外の軸受に代替することが可能である。
【００３８】
図５には、そうしたフローティング軸受の一種である磁気軸受の一例が示されている。同図に例示の磁気軸受は、軸支するディスク軸部の周囲に、等間隔で配置された４つの電磁石３０Ａ〜Ｄを備えている。なおこの磁気軸受の軸支部分におけるディスク軸部には、永久磁石３１が一体回動可能に固定されている。
【００３９】
こうした磁気軸受の各電磁石３０Ａ〜Ｄは、ディスク軸部の永久磁石を挟んで対抗するペア（電磁石３０Ａと電磁石３０Ｃとのペア、及び電磁石３０Ｂと電磁石３０Ｄとのペア」）毎にコイル結線されている。詳しくは、ペアを為す２つの電磁石の中間位置から揺動軸Ｌが外れたときに、揺動軸Ｌが近づいた側の電磁石では永久磁石３１の磁束を打ち消すように磁束を発生し、揺動軸Ｌが離れた側の電磁石では、永久磁石３１の磁束に沿うように磁束を発生するように、所謂ヌルフラックス結線にてコイル結線がなされている。こうした場合、揺動軸Ｌが近づいた側の電磁石には永久磁石３１との間に反発力が、揺動軸Ｌが離れた側の電磁石には永久磁石３１との間に吸引力がそれぞれ発生し、ペアを為す２つの電磁石の中間位置に揺動軸Ｌを保持するように電磁力が発生されるようになる。そのため、こうした磁気軸受によっても、ディスク１１を浮遊状態で軸支することができ、上記のような丸ピン２６及び調芯部材２８からなる調芯機構を設ければ、アッパコア１６／ロアコア１７とディスク１１との密着性を良好に確保することが可能となる。
【００４０】
（第３の実施の形態）
続いて、本発明のフラップ式電磁駆動弁を具体化した第３の実施の形態を、図６を併せ参照して、上記実施の形態と異なる点を中心に説明する。なお本実施の形態のフラップ式電磁駆動弁は、アッパコア１６／ロアコア１７に対する調芯部材２８の固定位置を変更可能としたものとなっている。
【００４１】
図６は、こうした本実施の形態のフラップ式電磁駆動弁の側部断面構造を示している。同図に示すように、本実施の形態では、その調芯部材２８に、十字に交差する十字溝３２が形成されている。そしてその十字溝３２を通して装着されるピン３３により、調芯部材２８がアッパコア１６／ロアコア１７に固定されている。
【００４２】
こうした構成では、アッパコア１６／ロアコア１７に対する調芯部材２８の固定位置を、図中の上下方向及び左右方向に変更することができる。そしてこれにより、アッパコア１６／ロアコア１７に対するディスク１１の密着状態の調整が可能になる。例えば図中左右方向における調芯部材２８の固定位置の調整によれば、アッパコア１６／ロアコア１７に対するディスク１１の密着位置を密着度合いが最大となる位置に調整することができる。また図中上下方向に調芯部材２８の固定位置の調整によれば、ディスク１１の揺動範囲を、ひいては弁体２０のリフト量を可変とすることが可能となる。
【００４３】
なお、内燃機関の運転中に図中上下方向の調芯部材２８の固定位置を調整可能とすれば、これにより、機関運転状況に応じて吸気／排気バルブのバルブリフト量の可変を行うことができる。例えば内燃機関の低回転速度時に吸気／排気バルブのバルブリフト量が縮小されるように、調芯部材２８の固定位置を変更すれば、ポンピングロスの低減により、燃費の向上を図ることが可能となる。
【００４４】
（第４の実施の形態）
続いて、本発明のフラップ式電磁駆動弁を具体化した第４の実施の形態を、図７を併せ参照して、上記実施の形態と異なる点を中心に説明する。
【００４５】
上記各実施の形態では、ディスク１１の揺動軸Ｌの調芯に係る調芯溝（Ｖ字溝２７）を、アッパコア１６／ロアコア１７の側面に一体固定された調芯部材２８に形成するようにしていた。これに対して本実施の形態では、同様の調芯のための調芯溝を、アッパコア１６／ロアコア１７の固定されるハウジングケース１０に形成するようにしている。
【００４６】
図７は、そうした本実施の形態のフラップ式電磁駆動弁の側部断面構造を示している。同図に示すように、ハウジングケース１０の両側壁には、ディスク１１の揺動軸Ｌを中心とした円弧をなすように延伸された調芯溝３４がそれぞれ形成されている。なお同図では、図中奥側のハウジングケース１０の側壁に形成された調芯溝３４が、ディスク１１やアッパコア１６／ロアコア１７を透過して表示されている。この調芯溝３４は、その中央部分からその両端に向うにつれて溝幅の狭くなる三日月形状に形成されている。そしてディスク１１の側面に突出された丸ピン２６がこの調芯溝３４内に挿入されている。こうした調芯溝３４によっても、丸ピン２６との摺接を通じてアッパコア１６／ロアコア１７への近接に応じて規定の位置へとディスク１１を案内し、これにより同ディスク１１の揺動軸Ｌの調芯を行うことが可能であり、上記（１）に記載のものに順じた効果を奏することができる。
【００４７】
以上説明した各実施の形態は、以下のように変更して実施することも可能である。
・第１〜第３の実施の形態では、調芯部材２８の周囲にバイパスコイル２９を巻線して、調芯部材２８が電磁石の芯材となるようにしていたが、アッパコア１６／ロアコア１７だけで十分な電磁力を確保することができるのであれば、バイパスコイル２９を割愛するようにしても良い。その場合には、調芯部材２８や丸ピン２６の材料として磁性体以外の材料を採用することが可能となる。
【００４８】
・調芯部材２８やハウジングケース１０に形成された調芯溝（Ｖ字溝２７、調芯溝３４）の形状は、上述のものに限らず適宜に変更しても良い。要は調芯溝には、アッパコア１６／ロアコア１７との密着時に、ディスク１１を適切な位置に案内することができるのであれば、任意の形状のものを採用することが可能である。
【００４９】
・調芯溝と摺接するディスク１１の突起（丸ピン２６）の形成位置及び形状についても、任意適宜に変更しても良い。またそうした突起をディスク１１に一体形成するようにしても良い。
【００５０】
・上記実施の形態では、内燃機関の吸気／排気弁として使用されるフラップ式電磁駆動弁として本発明を具体化した場合を説明したが、本発明はそれ以外の用途のフラップ式電磁駆動弁にも上記実施の停滞と同様或いはそれに準じた態様で適用することが可能である。要は、揺動可能に軸支された磁性体からなるディスクと、そのディスクを吸引する電磁力を発生する電磁石の芯材となるコアとを備え、その電磁力とばね力との協働によるディスクの揺動を通じて弁体を開閉駆動するものであれば、任意のフラップ式電磁駆動弁に本発明を適用することができる。
【図面の簡単な説明】
【００５１】
【図１】本発明のフラップ式電磁駆動弁の第１実施形態についてその側部断面構造を示す断面図。
【図２】同実施形態のフラップ式電磁駆動弁についてそのディスク及びロアコアの平面構造を示す平面図。
【図３】同実施形態のフラップ式電磁駆動弁についてそのディスクの軸受部分の断面構造を示す断面図。
【図４】同実施形態のフラップ式電磁駆動弁についてそのディスクのロアコアへの近接時における動作態様を示す断面図。
【図５】本発明のフラップ式電磁駆動弁の第２実施形態についてそのディスクの軸受部分の断面構造を示す断面図。
【図６】本発明のフラップ式電磁駆動弁の第３実施形態についてそのディスクのロアコアの側面構造を示す側面図。
【図７】本発明のフラップ式電磁駆動弁の第４実施形態についてその側部断面構造を示す断面図。
【図８】従来の一般的なフラップ式電磁駆動弁についてその側部断面構造を示す断面図。
【図９】ディスク揺動軸の自動調芯機構を備える従来のフラップ式電磁駆動弁についてそのディスク軸部周囲の断面構造を示す断面図。
【図１０】上記従来の一般的なフラップ式電磁駆動弁においてロアコアに対するディスク揺動軸の組付位置にずれがあるときのロアコア及びディスクの密着状態を示す断面図。
【符号の説明】
【００５２】
１０…ハウジングケース、１１…ディスク（Ｌ…揺動軸）、１２…軸部、１３…ディスク部、１４…流体密封軸受、１５…トーションバー、１６…アッパコア、１７…ロアコア、１８，１９…コイル、２０…弁体、２１…バルブステム、２２…傘部、２３…ローラカムフォロワ、２４…ロアスプリング、２５…チップ、２６…丸ピン（突起）、２７…Ｖ字溝（調芯溝）、２８…調芯部材、２９…バイパスコイル、３０Ａ〜３０Ｄ…電磁石、３１…永久磁石、３２…十字溝、３３…ピン、３４…調芯溝。
【図１】
2010001812.tif 000003
【図２】
2010001812.tif 000004
【図３】
2010001812.tif 000005
【図４】
2010001812.tif 000006
【図５】
2010001812.tif 000007
【図６】
2010001812.tif 000008
【図７】
2010001812.tif 000009
【図８】
2010001812.tif 000010
【図９】
2010001812.tif 000011
【図１０】
2010001812.tif 000012